(57)【要約】【課題】  本発明では、放送、またはＩＰ（Ｉｎｔｅｒｎｅｔ  Ｐｒｏｔｏｃｏｌ）上に配信される地上デジタル放送の画像をユーザーが著作権などの問題を解決した状態で、所望の印刷コンテンツを選択し、印刷することが可能であるデジタルテレビ受像機、コンテンツ配信装置および印刷装置間の印刷システムおよびその制御方法を提供することを目的とする。【解決手段】  受信機（１０２）は放送波配信サーバ（１０１）から受信した放送とＳＩ情報を取得し、そのＳＩ情報によってそのコンテンツが印刷可能かどうかを判断し、印刷可能ならば、そのまま、印刷装置（１０４）に画面のハードコピーなどをして印刷する。印刷出来ない場合、ＳＩ情報からコンテンツ関連情報によりコンテンツサーバー（１０５）へアクセスし、条件が合えば、印刷装置（１０４）がコンテンツを取得し、印刷実行する。【選択図】  図１
2007274559.tif 000002
【特許請求の範囲】
【請求項１】
第１のコンテンツ、印刷可能であるかの印刷許可情報および前記第１のコンテンツに関連するコンテンツ関連情報を含むデジタル放送を配信する配信手段と、
前記コンテンツ関連情報に関連する第２のコンテンツを配信するコンテンツ配信手段と、
前記配信手段より前記デジタル放送を受信する受信手段と、
前記デジタル放送から前記印刷許可情報および前記コンテンツ関連情報を識別する識別手段と、
前記印刷許可情報より前記第１のコンテンツが印刷可能かどうかを判断する判断手段と
前記判断手段より印刷可能であると判断された場合、前記第１のコンテンツを取得し、または前記コンテンツ関連情報によって前記コンテンツ配信手段より前記第２のコンテンツを取得し、第１のコンテンツまたは第２のコンテンツを印刷する印刷手段とを具備することを特徴とするデジタルテレビ受像機、コンテンツ配信装置および印刷装置間の印刷システム。
【請求項２】
前記印刷可能情報および前記コンテンツ関連情報は前記デジタル放送のＳＩ情報に含まれていることを特徴とする請求項１に記載のデジタルテレビ受像機、コンテンツ配信装置および印刷装置間の印刷システム。
【請求項３】
前記コンテンツ関連情報には少なくとも前記コンテンツ配信手段のＵＲＩを含んでいることを特徴とする請求項１乃至２に記載のデジタルテレビ受像機、コンテンツ配信装置および印刷装置間の印刷システム。
【請求項４】
前記判断手段は予めユーザーが設定した条件を満たしている前記第１のコンテンツについてのみ前記印刷許可情報より印刷可能かどうかを判断することを特徴とする請求項１乃至３に記載のデジタルテレビ受像機、コンテンツ配信装置および印刷装置間の印刷システム。
【請求項５】
前記印刷手段はそれを特定するＩＤ情報を有し、インターネットを介して前記受信手段と接続され、前記受信手段は前記ＩＤ情報を保存していることを特徴とする請求項１乃至４に記載のデジタルテレビ受像機、コンテンツ配信装置および印刷装置間の印刷システム。
【請求項６】
前記判断手段により印刷可能であると判断された場合に、前記受信手段より前記コンテンツ配信手段に前記印刷手段のＩＤ情報を登録することを特徴とする請求項５に記載のデジタルテレビ受像機、コンテンツ配信装置および印刷装置間の印刷システム。
【請求項７】
前記第２のコンテンツを印刷する場合に、前記受信手段は前記コンテンツ関連情報を前記印刷手段に送信し、前記印刷手段は前記コンテンツ関連情報に従って、前記コンテンツ配信手段にアクセスし、前記コンテンツ配信手段は前記登録されたＩＤ情報と前記印刷手段のＩＤ情報が一致するか判断し、もし一致すれば、前記第２のコンテンツを前記印刷手段に配信することを特徴とする請求項６に記載のデジタルテレビ受像機、コンテンツ配信装置および印刷装置間の印刷システム。
【請求項８】
前記コンテンツ配信手段が前記印刷手段に前記第２のコンテンツを配信した場合に、前記印刷手段が前記第２のコンテンツを取得し、第２のコンテンツの印刷に成功したかどうかの印刷状況情報を前記受信手段に送信し、前記受信手段より前記印刷状況情報を前記コンテンツ配信手段に送信して、前記コンテンツ配信手段が前記印刷状況情報により課金する課金手段をさらに具備することを特徴とする請求項１乃至７に記載のデジタルテレビ受像機、コンテンツ配信装置および印刷装置間の印刷システム。
【請求項９】
第１のコンテンツ、印刷可能であるかの印刷許可情報および前記第１のコンテンツに関連するコンテンツ関連情報を含むデジタル放送を配信する工程と、
前記コンテンツ関連情報に関連する第２のコンテンツを配信する工程と、
前記デジタル放送を受信する工程と、
前記デジタル放送から前記印刷許可情報および前記コンテンツ関連情報を識別する工程と、
前記印刷許可情報より前記第１のコンテンツが印刷可能かどうかを判断する工程と
前記判断工程により印刷可能であると判断された場合に、前記第１のコンテンツを取得し、または前記コンテンツ関連情報によって前記第２のコンテンツを取得し、前記第１のコンテンツまたは第２のコンテンツを印刷する工程とを具備することを特徴とするデジタルテレビ受像機、コンテンツ配信装置および印刷装置間の印刷システムの制御方法。
【請求項１０】
前記印刷可能情報および前記コンテンツ関連情報は前記デジタル放送のＳＩ情報に含まれていることを特徴とする請求項９に記載のデジタルテレビ受像機、コンテンツ配信装置および印刷装置間の印刷システムの制御方法。
【請求項１１】
前記判断工程により印刷不可能であると判断された場合に、前記コンテンツ関連情報によって前記第２のコンテンツを取得し、第２のコンテンツを印刷することを特徴とする請求項９乃至１０に記載のデジタルテレビ受像機、コンテンツ配信装置および印刷装置間の印刷システムの制御方法。
【請求項１２】
前記判断工程は予めユーザーが設定した条件を満たしている前記第１のコンテンツについてのみ前記印刷許可情報より印刷可能かどうかを判断することを特徴とする請求項９乃至１１に記載のデジタルテレビ受像機、コンテンツ配信装置および印刷装置間の印刷システムの制御方法。
【請求項１３】
前記印刷工程において前記第２のコンテンツの印刷が完了した場合に、第２のコンテンツに対して課金する工程をさらに具備することを特徴とする請求項９乃至１２に記載のデジタルテレビ受像機、コンテンツ配信装置および印刷装置間の印刷システムの制御方法。
【発明の詳細な説明】
【技術分野】
【０００１】
本発明は、デジタルテレビ受像機、コンテンツ配信装置および印刷装置間の印刷システムおよびその制御方法に関するもので、特に著作権の問題を解決して、印刷可能かどうかを判断する機能を備えたデジタルテレビ受像機、コンテンツ配信装置および印刷装置間の印刷システムおよびその制御方法に関する。
【背景技術】
【０００２】
現在、デジタル放送の開始や、インターネットの普及によって、デジタルデータで構成されたコンテンツの流通が盛んになってきている。また、最近では、テレビジョン受像機と放送局をインターネットで接続して、放送局と視聴者が双方向に通信を行うことが可能になってきている。
【０００３】
ここで、デジタルデータ化されたコンテンツにはＳＩ（Ｓｅｒｖｉｃｅ  ｉｎｆｏｒａｍｔｉｏｎ）情報と呼ばれるデジタル放送の付加情報を付随させることができる。このＳＩ情報にはコンテンツのタイトル、概要、時間等の当該コンテンツに関する情報が記載されている。
【０００４】
さらに、テレビジョン受像機は、大容量のハードディスクやＤＶＤ（ＤｉｇｉｔａｌＶｅｒｓａｔｉｌｅ  Ｄｉｓｋ）に番組等のデジタル化されたコンテンツを上述したＳＩ情報を含めて録画して蓄積することが可能な録画機能を備えたものも普及しつつある。
【０００５】
これらのデジタル化されたコンテンツは、複製しても品質が劣化しないという特性があり、このようなデジタル化されたコンテンツになるとデジタル情報のまま動画や文字や静止画像を記憶することが可能となり、記憶されたデジタル情報の中から必要な情報を抽出して印刷することもできるようになってきた。このため、デジタル化されたコンテンツの著作権を如何に保護するかが重要な課題となっている。
【０００６】
ここで、上述したデジタル化されたコンテンツの記憶において、いかに圧縮技術を駆使しても、多くのチャンネルまたは長時間にわたる記憶にはメモリが必要となり、結果的にメモリ不足がちになり、さらに多くのコンテンツを記憶できたとしても欲しい情報を検索するのに時間がかかり、情報を取り出すのが困難であるという問題があった。
【０００７】
この問題を解決するために、デジタル放送の中から必要な情報を抽出して印刷することを可能とし、メモリの節約と必要とする情報への容易な情報を抽出するというテレビジョン装置（再生装置）を含むデジタルコンテンツ印刷システムが提案されている。
【０００８】
例えば特開２００２−９４９１７では、デジタル放送の中から番組を抽出するための抽出情報を設定可能とし、テレビジョン装置はこの設定された抽出情報に基づいて、デジタル放送中のＳＩ情報等により、受信したデジタル放送から該当するデジタル化されたコンテンツを抽出し、その抽出内容を印刷する。このため、所望の情報が自動的に抽出され、さらにそれが紙上に印刷されるので、必要な情報へのアクセスがきわめて容易になる。
【特許文献１】特開２００２−９４９１７号
【発明の開示】
【発明が解決しようとする課題】
【０００９】
従来のテレビジョン受像機を含むデジタルコンテンツ印刷システムでは、同様のデジタルテレビジョン受像機で個人の写真を画面上に表示させ、印刷することは著作権の立場から問題なく可能である。
【００１０】
しかしながらネット上の画面や写真、また放送といった動画中の静止画などの印刷に関しては、未だ、規制が確立されていないため、ユーザーが、例えば放送中の動画の一部（静止画）を印刷しようとすると、著作権の問題が発生する可能性があるといった問題があった。
【００１１】
さらに所望の情報の印刷を行うときに著作権の問題等で印刷や記憶が禁止されているコンテンツがある。このような場合には、ユーザーは所望の情報を何も得られないといった問題があった。
【００１２】
本発明では、放送、またはＩＰ（Ｉｎｔｅｒｎｅｔ  Ｐｒｏｔｏｃｏｌ）上に配信されるデジタル放送の画像をユーザーが著作権などの問題を解決した状態で、所望のコンテンツを選択し、印刷することが可能であるデジタルテレビ受像機、コンテンツ配信装置および印刷装置間の印刷システムおよびその制御方法を提案する。
【課題を解決するための手段】
【００１３】
上記目的を達成するために第１の本発明によるテレビジョン受像機、コンテンツ配信装置および印刷装置間の印刷システムは第１のコンテンツ、印刷可能であるかの印刷許可情報および第１のコンテンツに関連するコンテンツ関連情報を含むデジタル放送を配信する配信手段と、このコンテンツ関連情報に関連する第２のコンテンツを配信するコンテンツ配信手段と、配信手段より前記デジタル放送を受信する受信手段と、デジタル放送から印刷許可情報およびコンテンツ関連情報を識別する識別手段と、印刷許可情報より第１のコンテンツが印刷可能かどうかを判断する判断手段と、この判断手段より印刷可能であると判断された場合、第１のコンテンツを取得し、またはコンテンツ関連情報によってコンテンツ配信手段より第２のコンテンツを取得し、第１のコンテンツまたは第２のコンテンツを印刷する印刷手段とを具備することを特徴とするデジタルテレビ受像機、コンテンツ配信装置および印刷装置間の印刷システム。
【００１４】
また、上記目的を達成するための第２の本発明によるテレビジョン受像機、コンテンツ配信装置および印刷装置間の印刷システムの制御方法は第１のコンテンツ、印刷可能であるかの印刷許可情報および前記第１のコンテンツに関連するコンテンツ関連情報を含むデジタル放送を配信する工程と、このコンテンツ関連情報に関連する第２のコンテンツを配信する工程と、
デジタル放送を受信する工程と、デジタル放送から印刷許可情報およびコンテンツ関連情報を識別する工程と、印刷許可情報より第１のコンテンツが印刷可能かどうかを判断する工程と
この判断工程により印刷可能であると判断された場合に、前記第１のコンテンツを取得し、または前記コンテンツ関連情報によって前記第２のコンテンツを取得し、前記第１のコンテンツまたは第２のコンテンツを印刷する工程とを具備することを特徴とする。
【発明の効果】
【００１５】
本発明によれば、放送またはＩＰ上に配信されるデジタル放送の画像または情報をユーザーが著作権などの問題を解決した状態で、所望のコンテンツを選択し、印刷することが可能となる。
【発明を実施するための最良の形態】
【００１６】
以下、本発明の一実施例の形態によるデジタルテレビ受像機、コンテンツ配信装置および印刷装置間の印刷システムおよびその制御方法を図面を用いて詳細に説明する。本実施形態は、デジタルテレビ受像機をテレビジョン受像機に本発明を適用した例である。
【００１７】
まず、図１を参照して、システムの構造の概要を説明する。図１は本発明の一実施例の形態におけるテジタルテレビ受像機、コンテンツ配信装置および印刷装置間の印刷システムの構造を示すシステム図である。
【００１８】
図１において、本実施例の受信機装置とコンテンツ配信装置と印刷装置間の印刷システムは、放送、特にＩＰ上で配信された地上波デジタル放送を配信する放送波配信サーバ１０１から配信される放送を受信する受信機１０２、例えばデジタルテレビ受像機と、その受像機に接続された放送を記録するＨＤＤ１０３と、家庭内ネットワーク上に存在し、受信装置１０２と接続されている印刷装置１０４と、インターネット上に存在し、インターネット接続端子を介して受像機１０２、もしくは印刷装置１０４に接続されているコンテンツ配信サーバ１０５とから構成されている。
【００１９】
ここで、放送波配信サーバ１０１から配信される放送には、ＳＩ情報が予め付加されて配信されている。これに関しては、ＡＲＩＢ規格ＳＴ−Ｂ１０に詳細が記述されている。
【００２０】
次に、簡単にコンテンツ印刷までの流れを説明する。受信機１０２は放送波配信サーバ１０１から受信したデジタル放送中のコンテンツとＳＩ情報を取得し、対象となるコンテンツ中の画像を印刷することを印刷装置１０４に指示する。もちろん、ＨＤＤ１０３に既に記録されたコンテンツでも良いが、ＳＩ情報も同時に記録しておく必要がある。
【００２１】
この際、所望の画像を表示させ受信機１０２のアプリなどによる印刷ボタンなどを押すことで、当該コンテンツのＳＩ情報を識別して対象となるコンテンツが、印刷できるかどうかを判断し、もし印刷可能ならば、そのまま、受信機１０２より印刷装置１０４に画面のハードコピーなどを送信して、印刷装置１０４はその画面を印刷する。
【００２２】
ここで、ＳＩ情報は当該コンテンツ毎に付随させてもよいが、さらにある特定の画面ごとに設定しておいて、その画面毎に付随させてもよい。さらにユーザーが予め条件を設定しておいて、それを受像機１０２に保存しておき、予め設定された条件に一致するものだけについてコンテンツの印刷可能かどうかを判断するようにしてもよい・
【００２３】
一方、印刷出来ない場合、もちろん可能な場合でも良いが、当該ＳＩ情報より関連情報、つまり印刷可能な関連した画像の存在するコンテンツサーバのＵＲＩ（Ｕｎｉｆｏｒｍ  Ｒｅｓｏｕｒｃｅ  Ｉｄｅｎｔｉｆｉｅｒ）を受信機１０２が取得し、そのＵＲＩに基づいて受信機１０２はコンテンツサーバー１０５にアクセスし、当該コンテンツの関連情報を受信機１０２にて表示させる。
【００２４】
ここで、受信機１０２においてユーザーは所望の情報を選択するとともに、そのＵＲＩを印刷装置１０４に送信する。ＵＲＩを提供された印刷装置１０４は、コンテンツサーバ１０５へアクセスし、コンテンツを取得し、印刷実行する。
【００２５】
そして、印刷が完了した事を受信機１０２に知らせて、受信機１０２はコンテンツサーバ１０５へ知らせる。この時、受信機１０２サーバ１０５間で課金の処理を行うことも可能である。
【００２６】
さらに図２を参照して、受信機の構造について説明する。図２は本発明の一実施例の形態におけるテジタルテレビ受像機の構造を示すブロック図である。
【００２７】
図２において、受信機１０２は放送波配信サーバ１０１もしくはアンテナよりデジタル放送を受信するデジタル放送受信部２、受信したデジタル放送情報からＳＩ情報を識別し、そのＳＩ情報より印刷可能であるかどうか判断するＳＩ情報識別部３およびＳＩ情報およびその判断結果を記憶しておくＳＩ情報記録部４およびデジタル放送受信部２からの映像信号を表示する表示部７を有する。
【００２８】
さらに、コンテンツサーバー１０５と受信機１０２を接続するインターネット接続部６、印刷装置１０４と接続された印刷装置接続部１０とを有し、また印刷装置１０４および、もしくは受像機１０２を特定するＩＤを記憶するＩＤ情報記憶部９、受信機外部のリモコン１１からの電波を受信するリモコン受信部８、さらには受信機１０２を制御する制御部５から構成されている。
【００２９】
ここで、印刷装置接続部１０はＵＳＢ端子等の接続部でもいいし、インターネットで接続するためのインターネット接続部であってもよい。さらに受信機１０２の操作についてはリモコン１１だけでなく、受信機１０２に備え付けられているスイッチ等で行うことも可能である。
【００３０】
次に、この実施例のシステムにおける著作権の問題を解決する手段の提案と、その際の印刷システムおよびその制御方法についての詳細に説明する。
【００３１】
ここで、図３を用いて、本実施例で提案するＳＩ情報の著作権記述子データ構造１１１およびハイパーリンク記述子データ構造１１２について説明する。図３は本発明の一実施例の形態における著作権記述子およびハイパーリンク記述子を示すデータ構造図である。
【００３２】
図３は、配信されたコンテンツまたは画像について印刷可能かどうかを判断するため、及び、印刷許可が無い場合にその画像に関係する印刷コンテンツの提供元を示す情報を、ＳＩ情報のどこに埋め込むのかの一例を示す図である。著作権記述子データ構造１１１と、ハイパーリンク記述子データ構造１１２は、既にＡＲＩＢ規格ＳＲＴＤ−Ｂ１０にて規格化されたデータ構造図である。
【００３３】
しかしながら、このデータ構造には印刷に関する規定はまだ規格化されていない。そのため、ユーザーが見ている最中のコンテンツまたは画像や、予めＨＤＤ１０３に記憶していたコンテンツまたは画像に関して、むやみに印刷を行って良いのかユーザには判断できない。従って、本実施例では、著作権データ構造内の著作権識別に、印刷の可否情報を、また著作権付加情報に、印刷可能枚数などの付加情報を挿入する方法を提案している。
【００３４】
もし、対象としているコンテンツが印刷不可能である場合、ユーザーは、対象としているコンテンツに関連する印刷可能な画像を取得する事が出来る。この例として、ハイパーリンク記述子データ構造内のハイパーリンク種別に、印刷コンテンツ先のＵＲＩを、リンク先種別に、印刷ＵＲＩを挿入する方法を挙げている。
【００３５】
これにより、ユーザーは、視聴していた放送や、記録していた放送内の静止画や、関連する静止画を著作権の問題を回避して印刷する事が出来る。もちろん、この例に挙げた記述子データ以外にも特別な記述子をＳＩ情報の一部に設けてデータを配信しても良い。
【００３６】
つぎに図４乃至６を用いて、上述した図３のデータ構造を有するＳＩ情報をもったデジタル放送中のコンテンツあるいは関連するコンテンツを印刷完了するための段階的な工程を示したフローチャート図である。
【００３７】
ここで、図４は本発明の一実施例の形態におけるコンテンツ選択から印刷機種登録までの工程を示したフローチャート図である。図５は本発明の一実施例の形態におけるコンテンツを取得してから印刷処理の実行前の工程を示したフローチャート図である。図６は本発明の一実施例の形態における印刷処理の実行から、課金などを含めた終了までの工程を示したフローチャート図である。
【００３８】
図４は、ＳＩ情報を解析して、コンテンツを印刷もしくは、インターネット上のコンテンツ配信サーバ１０５にコンテンツを選択し、印刷装置を登録するまでのフローである。
受信機１０２は、ＳＩ情報を含む放送をデジタル放送受信部２で取得し（Ｓ１１）、その放送中よりＳＩ情報をＳＩ情報識別部３により抽出し、ＳＩ情報の中身を解析する（Ｓ１２）。その際、対象とするコンテンツが、印刷可能かどうかを判定する（Ｓ１３）。
【００３９】
このコンテンツ、判定結果情報およびコンテンツの関連情報はＳＩ情報記録部４に記録される。ここでＳＩ情報記録部４にユーザーが予め設定した条件に合致した場合およびユーザーより直接リモコンで指示した場合にはＳＩ情報記憶部４で保存されている判定結果情報を確認し、もし、印刷可能であるならば、ＳＩ情報記録部４より、表示部７から印刷可能であることを示すアイコンもしくは指示文章をテキストとして表示部７に表示する。
【００４０】
もし、ユーザーからリモコン１１により指示があれば、その情報はその画面をハードコピーするなどして、ネットワーク上の印刷装置１０４に送信（Ｓ１４）し印刷する。ここで、ＳＩ情報識別部３でコンテンツが印刷可能かどうかを判定し、ユーザーが予め設定した条件にあっている場合には表示部７にアイコン等を表示せずに印刷装置１０４に情報を送信してもよい。この場合、著作権の問題はないので、ユーザーは画像の中身全て印刷可能となる。
【００４１】
一方、印刷が許可されていない場合には、ＳＩ情報の中にコンテンツに関連する情報があるかをＳＩ情報記憶部において確認して、判定し（Ｓ１５）、存在すれば、情報提供のＵＲＩが示すコンテンツサーバ１０５へ受信機１０２はアクセスし、そのコンテンツに関連する情報を受信機１０２内の表示部７などにより表示する（Ｓ１７）。
【００４２】
その表示されたコンテンツの中に気に入ったものがあれば（Ｓ１８）、そのコンテンツを選択し、同時にＵＲＩで指定されたコンテンツサーバ１０５に既に受信機１０２のＩＤ情報記録部９にて登録されている印刷装置のＩＤを登録する（Ｓ１９）。ここで、受信機１０２がコンテンツサーバー１０５にアクセスする場合にも既にコンテンツサーバに受信機１０２のＩＤが登録されており、アクセス時にＩＤやパスワード等で受信機１０２を特定することができる。
【００４３】
つまり配信された画像については印刷できないが、当該コンテンツ関連する情報などを提供する事によりユーザーの利便性を向上されることできる。もちろん、印刷許可が出ている場合でも関連情報があれば、それを同時に提供する事に問題は無い。
【００４４】
次に図５を用いて、コンテンツを取得してから印刷処理の実行前までの工程を説明する。既に受信機１０２によりインターネット上のコンテンツサーバ１０５にコンテンツの選択と印刷装置１０４のＩＤが登録され、この許可がインターネット接続部６を解して受信機１０２に送信される（Ｓ２１）。
【００４５】
その後、受信機１０２は、コンテンツサーバー１０５のＵＲＩを印刷接続部１０を介して印刷装置１０４に送信する（Ｓ２２）。印刷装置１０４は、受け取ったＵＲＩ先にアクセスし、コンテンツの取得要求をする（Ｓ２３）。ここで、コンテンツサーバ１０５は、アクセスしてきた印刷装置１０４のＩＤが登録されているＩＤと一致するかどうかを判断（Ｓ２４）し、一致すれば、印刷装置１０４はコンテンツを取得し（Ｓ２５）、印刷処理の実行（Ｓ２６）に入る。
【００４６】
最後に、図６において、印刷処理の実行から、課金などを含めた終了までの工程を説明する。コンテンツを取得した印刷装置１０４は、印刷の処理を実行する（Ｓ３１）。印刷装置１０４は、印刷処理の結果を受信機１０２に送信する（Ｓ３２）。そこで、印刷が問題なく完了したかを判定し（Ｓ３３）、問題なければ、受信機１０２からコンテンツサーバ１０５へ印刷完了のメッセージを送信する（Ｓ３４）。
【００４７】
完了のメッセージを受け取ったコンテンツサーバ１０５は、課金処理を行い（Ｓ３５）、ユーザの契約しているプロバイダ経由などで課金する。一方、印刷が出来なかった場合、再度繰り返し行う（Ｓ３６）。それでも何らかの問題で印刷できない場合、印刷装置から受信機へ印刷できない旨を送信し、受信機１０２からコンテンツサーバ１０５へ中断のメッセージを送信する（Ｓ３７）。
【００４８】
ここで、印刷装置１０４が印刷処理結果をそのままコンテンツサーバー１０５に送信しないで、受信機１０２に送信し、例えば、その結果を表示部７等により表示することにより、ユーザーが印刷処理結果を知ることが可能となる。さらに印刷装置１０４の出力を確認してきちんと印刷されていれば、ユーザーがリモコン等で確定のスイッチを押すことにより、コンテンツサーバー１０５によりプロバイダー経由で課金処理を進める。
【００４９】
このような処理を行うことにより、確実に課金が行えると同時に、もし印刷装置１０４の異常があって、実際には印刷さていないのに、間違って課金処理がなされることを防ぐことが可能である。
【００５０】
また、上述したとおり本実施例のデジタルテレビのような放送受信機と、印刷装置、コンテンツ配信サーバから構成される印刷システムにおいて、ＳＩ情報を含む地上波デジタルなど放送の画像を印刷したい場合、そのＳＩ情報に印刷許可や、関連する情報等が新規に追加される事により、ユーザーは、著作権の問題を気にせず印刷でき、印刷が許されなくても関連する情報から別の静止画などを取得でき、さらに選択して印刷する事が可能となる。
【００５１】
これにより、ユーザーの利便性が向上する。また、選択したコンテンツをユーザーが印刷する場合には、著作権者には、上記の方法により著作権料が手に入るようにする。
【００５２】
ここで、本実施例の説明では、テレビ受像機について説明していたが、ＰＣ、ＤＶＤ  Ｐｌａｙｅｒ、携帯電話等でデジタルチュ−ナを搭載し、デジタル放送を視聴できる電子機器にも適応可能である。
【００５３】
さらに本実施例では、印刷装置１０４をインターネット上でと接続しているが、従来とおりＵＳＢ端子等により接続している構成にしてもよい。この場合、コンテンツサーバ１０５に対して印刷装置１０４のＩＤ登録等は必要なくなり、ＩＤ登録の工程フローを削除できる。一方、受信機１０２でコンテンツサーバ１０５より欲しいコンテンツを一度受信して、その情報を印刷装置接続部１０を介して、印刷装置に送信して、印刷を実行することになる。
【００５４】
また、本実施例では、受信機１０２は放送波配信サーバ１０１よりデジタル放送を受信しているが、アンテナよりチューナを介して受信してもよい。
【００５５】
実施例には種々の段階の発明が含まれており、開示される複数の構成要件、もしくは複数の工程における適宜な組み合わせにより種々の段階の発明が抽出されえる。例えば、実施例に示される全構成要件から幾つかの構成要件もしくは全工程から幾つかの工程を削除されても、発明が解決しようとする課題の欄で述べた課題が解決でき、発明の効果の欄で述べられる効果が得られる場合には、この構成要件もしくは工程が削除された構成が発明として抽出されえる。
【図面の簡単な説明】
【００５６】
【図１】本発明の一実施例の形態におけるテジタルテレビ受像機、コンテンツ配信装置および印刷装置間の印刷システムの構造を示すシステム図。
【図２】本発明の一実施例の形態におけるテジタルテレビ受像機の構造を示すブロック図。
【図３】本発明の一実施例の形態における著作権記述子およびハイパーリンク記述子を示すデータ構造図。
【図４】本発明の一実施例の形態におけるアナログおよびデジタル映像信号の音声信号の制御方法を示すフローチャート図。
【図５】本発明の一実施例の形態におけるコンテンツを取得してから印刷処理の実行前の工程を示したフローチャート図。
【図６】本発明の一実施例の形態における印刷処理の実行から、課金などを含めた終了までの工程を示したフローチャート図。
【符号の説明】
【００５７】
２  デジタル放送受信部
３  ＳＩ情報識別部
４  ＳＩ情報記憶部
５  制御部  
６  インターネット接続部
７  表示部
８  リモコン受信部
９  ＩＤ情報記憶部
１０  印刷装置接続部
１１  リモコン
１０１  放送波配信サーバ  
１０２  受像機
１０３  ＨＤＤ
１０４  印刷装置
１０５  コンテンツサーバ
【図１】
2007274559.tif 000003
【図２】
2007274559.tif 000004
【図３】
2007274559.tif 000005
【図４】
2007274559.tif 000006
【図５】
2007274559.tif 000007
【図６】
2007274559.tif 000008